(57)【要約】【目的】検出回路基板に対して接続端子を接面した状態で電気的に接続する構造の検出スイッチの上記接続を常時安定した状態に保ち使用できるようにした取付構造を提供すること。【構成】検出スイッチ（２２）を装着する装着部（２７）に弾性部材（３０）を一体に備え、該弾性部材（３０）によって前記装着部（２７）に装着される検出スイッチ（２２）の接続端子（４０）を押圧して検出回路基板（３８）に圧着して該検出回路基板（３８）とこれに接続される接続端子（４０）との電気的接続を確保する。【選択図】        図３
2006175088.tif 000002
【特許請求の範囲】
【請求項１】
スイッチ本体の検出孔に周設するコイルと、球の通過により発生する誘導電流を検出する検出回路基板と、該検出回路基板に重ね合せにして接続し、外部配線に接続する接続端子と、を有してなる検出スイッチを入賞球装置の装着部に着脱自由に装着して前記検出孔を前記入賞球装置の球通過路に臨ませ、通過球を検出するようにした検出スイッチの取付構造において、前記装着部には前記検出スイッチが装着されたとき、前記接続端子を前記検出回路基板に押圧する弾圧部材を設けてなることを特徴とした検出スイッチの取付構造。
【請求項２】
請求項１の記載において、弾圧部材は舌片状に形成し、自由端部に検出スイッチのスイッチ本体の縁部を係脱自由に掛け止める係止部を設けてなることを特徴とした検出スイッチの取付構造。
【請求項３】
請求項１又は２の記載において、弾性部材には入賞球検出スイッチの装着時に接続端子を直接若しくは間接に押圧突起部を備えてなることを特徴とした検出スイッチの取付構造。
【請求項４】
請求項２又は３の記載において、弾性部材には自由端に操作片を一体に形成し、検出スイッチの着脱時に係止部の係脱操作を可能にしてなることを特徴とした検出スイッチの取付構造。
【発明の詳細な説明】
【技術分野】
【０００１】
本発明は、入賞球を検出するため入賞装置等に装備される検出スイッチの取付構造に関する。
【背景技術】
【０００２】
周知のように、パチンコ機には入賞装置に飛入した球や、可変表示装置を始動させる始動入賞口に飛入した球、或は入賞装置を通して遊技盤背後に備えられる入賞球集合室に誘導される球等を検出するための入賞球検出用の検出スイッチが組付けられたものが数多く使用されている。
検出スイッチは元々電気部品として独立して製造されるもので、パチンコ機に対しては使用対象が例えば入賞装置である場合には、この入賞装置の成形時にスイッチの装着部を設けて後付けによって組入れ、また入賞球集合室のような場合には、遊技盤の背面に設ける入賞球通路の集合体となる所謂セット板と称される合成樹脂製の成形体に装着部を一体に設け、これに検出スイッチを組付け、使用するようにしている。
【０００３】
このパチンコ機において利用されている検出スイッチには数種類のものがあるが、中でも多く使用されている検出スイッチは、やゝ厚みをもたせた板状のスイッチ本体を主体にしてこれに球を通過させる検出孔を形成し、この検出孔の周囲にコイルを周設し、その一方上記スイッチ本体の内部に上記検出孔を球が通過することで発生する誘導電流を検出する検出回路基板を内包し、更にこの検出回路基板から発せられる検出信号を外部に取り出す配線に接続するための接続端子を備えた誘導電流型の検出スイッチであり、この検出スイッチは前記それぞれの装着部に対して前記検出孔がパチンコ球の通過通路に臨むように装着し、常にはこの装着状態が維持されるように係止爪で掛け止め、定位置に固定されるようにしてあり、必要があって取り出す場合は前記係止爪を外し、抜き取れるようにしてある。
【０００４】
ところで、パチンコ機は周知のように極めて流行性の高い商品であり、遊技の設定内容やデザインによっては数ヶ月で使用寿命を迎えるものが少なくない。この様な場合、装置に組込まれた部品類は新品同様な状態にあり、機能上全く遜色のないものとなっていることが多いため、近年これら部品類の再使用が積極的に勧められるようになっている。中でも、検出スイッチは入賞装置における場合、前述したように後付けによって掛け止めた状態で取付けられているだけであることから、係止爪を外すことで取り出すことができ、しかもパチンコ機の機種等の変更があっても検出機能に対する変更がないため再利用、再使用に向いた部品となっている。
【０００５】
添付する図面の図５、図６は上述の従来の使用状態を示したもので、ここでは始動入賞口１に対する検出スイッチ２の装着例を示している。始動入賞口１は、遊技盤３に開設する透孔４に略角筒形に形成した装着部５を前面側から挿入し、取付基板６を遊技盤の前面に添わせ、これを図示しない木ねじによって一体に固定し、入賞球Ａを受ける入賞口７を遊技盤３の前面に突き出すようにしている。
この様にして取付けられた始動入賞口に対して前記装着部５の背後から肉厚の板状にしてなる検出スイッチ２を差し入れ、その検出孔８を前記入賞口７の球通路９に臨ませると同時に、装着部５の後部から突出する係止爪１０を検出スイッチ２の後端に掛け止め、抜け出ないようにして組立を行うようにしている。
【０００６】
上記の装着方法は、始動用入賞口を始めとして入賞装置における最も一般的なものである。しかし、前面に開閉する扉を備えた所謂大入賞口と称される入賞装置や、前記セット板においては、検出スイッチの長さ方向を前後方向（遊技盤に対して垂直な方向）に向けて設置できない場合、例えば設置空間が他の部品類の取付位置との関係で制約されることによってできない場合があり、この場合は検出スイッチの長さ方向を左右方向に揃えて後方への突き出しを控えるようにして設置するようにしている。例えば特許文献１に記載されるものがその一例である。
【特許文献１】特許第２７６４４３７号公報。公報第４頁左欄第１３〜２５行目、同頁右欄第１３〜３１行目、及び図面の図１，図２，図３，図４，図５。
【０００７】
上記特許文献１に記載されるもの、或は前述図５，図６に示した従来例のいずれの場合も、取付片５８ａ，５８ｂ（特許文献１の場合）、乃至係止爪１０（従来例の場合）を検出 スイッチに掛け止めることで脱落しないようにしているが、同時にこれら取付片５８ａ，５８ｂ、係止爪１０を素材の弾性を利用して撓めることで係合を外し、装着状態を解除することができるようにもしてある。
この取付片乃至係止爪による検出スイッチの止め付けは、組付けの容易性を図ることに加えて、検出スイッチに不具合を生じたときその交換が容易に行えるようにしたものであるが、同時にこの様に取り外せることによって入賞装置として、或はセット板としての使用を終了したとき、これらから外して再使用する場合、極めて有利なものになっている。
【０００８】
しかし、このとき問題となることは、例えば検出スイッチを外す際に配線に指が掛る等して強い力が接続端子に作用したとき、この接続端子と検出回路基板の接続が破損し、接続不良を起して再使用に適さなくなることである。
前述したように、前記装着部に設けられる取付片や係止爪は装着の作業性と装着状態の安定性を求めて設計されていることから、外すことは可能であっても簡単には外れないようにしてあり、そのため作業員が無理に外そうとすると、比較的脆弱に製造されている検出スイッチが損傷を受けることが多く、ことに接続端子と検出回路基板との接続部分に負荷を受けて蝋付け部分が剥離する等して断線し、使用に適さなくなる問題がある。
【発明の開示】
【発明が解決しようとする課題】
【０００９】
本発明は、上述した問題に鑑み、これを解決するため開発されたものであり、その目的とするところは、例えば入賞装置等の入賞球装置の装着部に装着される検出スイッチを外す際に、不要な力が作用して接続端子と検出回路基板との接続に損傷を受け、接続不良となった検出スイッチについて、これを再使用するに当ってそのまゝの状態での使用を可能にした補正手段を備えてなる検出スイッチの取付構造を提供せんとするものである。
【００１０】
前記特許文献にも開示されるように、検出回路基板を内蔵した検出スイッチは、スイッチ本体の中空部に板状の基板を張り付け、この基板の表面に露出するプリント配線部分に重ねるようにして配線（リード線）を一体に接続してなる接続端子を添わせて蝋付けし、両者を接続させているのが普通である。このため装着部からこの検出スイッチを外す際に上記配線が強く引かれると、接続端子が検出回路基板の上記プリント配線部分から引き離され、剥離した状態となって簡単に断線することになる。
【００１１】
この様にして損傷を受けた検出スイッチは、検出回路基板から接続端子が外れていることが外観できるものは再使用不可として取り除くことができるが、外観的に損傷が確認できないものはそのまゝ再使用されることが多く、装置の不具合を生じさせる危険がある。
本発明は、この様な検出回路基板に対して接続端子が引き離されて両者間に接続不良が生じている検出スイッチ、或は完全に断線状態にある検出スイッチを使用したとき上記接続不良による不具合を補正して正常な検出スイッチと同様に使用に供せられるようにした検出スイッチの取付構造を提供しようとするものである。
【課題を解決するための手段】
【００１２】
本発明は、上述目的を達成するため、スイッチ本体の検出孔に周設するコイルと、球の通過により発生する誘導電流を検出する検出回路基板と、該検出回路基板に重ね合せにして接続すると共に外部配線を接続する接続端子とを有してなる検出スイッチを入賞球装置の装着部に着脱自由に装着して前記検出孔を前記入賞球装置の球通過路に臨ませ、通過球を検出するようにした検出スイッチの取付構造において、前記装着部には前記検出スイッチが装着されたとき、前記接続端子を前記検出回路基板に押圧する弾圧部材を設けてこの両者を圧接した状態に保持し、接続状態を維持してなることを特徴とした検出スイッチの取付構造を提供することにある。
【００１３】
また本発明は、前記弾圧部材は舌片状に形成し、自由端部に検出スイッチのスイッチ本体の後端部を係脱自由に掛け止める係止部を設けてなることを特徴とした検出スイッチの取付構造を提供することにある。
【００１４】
また更に本発明は、前記弾性部材には検出スイッチの装着時に接続端子を直接若しくは間接に押圧する押圧突起部を備えてなることを特徴とした検出スイッチの取付構造を提供することにある。
【００１５】
前記入賞球装置は、所謂始動用入賞口のように球の通過を検出してその検出信号によって他の装置を起動させる場合に使用される通過型の入賞口の外、大入賞口を含む一般的な入賞装置、及びこれら入賞装置を通して遊技盤の背面に送られる入賞球を誘導する入賞球通路を含み、また検出スイッチについては上記の入賞球装置に組込まれ、通過する球を誘導電流によって検出するタイプであって、内蔵する検出回路基板に対して接続端子を重ね合せに接面させ接続する構造の検出スイッチに適応するものとしている。
【００１６】
上記入賞球装置は合成樹脂を材料に成形する。また、これに設ける検出スイッチを装着する前記装着部も同一の材料を以て一体に成形するものとする。そして、この装着部は単独で検出スイッチを保持する能力をもたせると共に、定位置に検出スイッチを固定することができる構造とする。
【００１７】
この装着部の一つの形態として、装着する検出スイッチの断面形状に合せた角筒形に形成し、筒の一方の開口部から検出スイッチの先端部を突き入れ、嵌め付けることで装着する構造を挙げることができる。
この場合、上記装着部は球の通過経路に対して近接して設け、検出スイッチの装着に伴わせてその先端側に設ける検出孔が上記通過経路に臨むようにするとよい。
【００１８】
一方、前記弾性部材は、上述の如くして検出スイッチを装着部に嵌め付け、検出孔が球の通過経路、つまり球通過路に臨む定位置に装着されたとき、検出スイッチに装備される接続端子に当接してこの端子を検出スイッチ本体内部に装備する検出回路基板に押圧するものとする。
この弾性部材は、前記装着部から延設し、素材の弾性を利用してばね性を発揮させ、前記接続端子を積極的に付勢するようにするとよく、そのために舌片状に形成すること、更には上記舌片状に形成することに併せて接続端子を確実に押圧できるようにこの接続端子と当接する位置に前記押圧突起部を隆設するようにするとよい。
【００１９】
上記押圧突起部は、前記弾性部材の押圧力を接続端子に対して集中的に作用させる上で有効に機能するものであり、接続端子と検出回路基板との剥離を原因にして起る接続不良を押圧力の集中を利用して確実に解消することになる。
尚、この押圧突起部は上記押圧力を集中させられるものであれば、特定の形状に制約されるものではなく、任意に設計することができるものである。
【００２０】
上記弾性部材は、上記接続端子に対する押圧力を付与することに加え、舌片状に形成する端部に係止部を設け、この係止部を装着部に装着される検出スイッチの後端部に掛け止めることによって抜け出しを阻止し、検出スイッチの安定した装着状態を確保するものにしてある。
【００２１】
この係止部は、前記押圧突起部を隆設する面（上面）に揃えて該突起部と同様に突き出た状態に形成し、装着部に対する検出スイッチの装着時には弾性部材の撓み性を利用して後退させ、検出スイッチの装着作業の妨げとならないようにし、その一方装着完了後は弾性部材の復元力を利用して検出スイッチの後端部に掛け止め、抜け出しを阻止するようにする。
【００２２】
勿論、上記係止部の掛け止めに当っては、同一面に突き出す押圧突起部との関係において突き出しの高さを大にして突起部が接続端子を押圧した状態にあるとき検出スイッチの後端部との係合が外れないようにすることは言うまでもない。
【００２３】
尚、前記弾性部材を舌片状に形成し、その先端部に前記係止部を形成する場合、装着した検出スイッチを装着部から抜き取る際に、上記係止部の掛け止めを外して、抜き取り操作を容易にするため、該弾性部材の先端部に指掛け用の操作片を延設して置くと有効である。つまり、この操作片を作用方向に逆って押込むようにすると、検出スイッチに対する一切の拘束を簡単に外すことができることから装着部から検出スイッチを取り出す場合に極めて容易に、且つ円滑に外すことができ、従って抜き取りの際の検出スイッチに対する負荷が小さくなり、安全に処理することができることになる。
【発明の効果】
【００２４】
本発明は、上述の如く構成されるもので、装着部に差し込み装着される検出スイッチは、この装着部に備える弾性部材を一面に受け、この面に臨んでスイッチ本体の内部に内蔵される検出回路基板に対して重り状態に接面し、接続される接続端子に当接してこれを前記検出回路基板に押圧し、両者の面的な接続状態を確保し、補強することになることから、この両者の接続を安定させることができる。従って、検出スイッチの取外し作業に当って両者の接続が仮に不良となっても、また実質的に断線した状態となっても前記弾性部材の押圧によって接続を回復することから正常な状態で再使用が可能となる。
【００２５】
また本発明は、装着された検出スイッチは弾性部材によって押圧され、接続端子を検出 回路基板に圧接することから、保守点検時に作業員が配線を引いて接続不良乃至断線状態を作ることがあっても、正常な接続状態を確保することができ、そのまゝ使用を継続することができることになる。
【発明を実施するための最良の形態】
【００２６】
次に、本発明を添付する図面に基き詳述することにする。添付する図面の図１は、本発明に係る検出スイッチの取付構造を示す検出スイッチを外した状態における中央縦断右側面図であり、図２は図１の状態における中央横断平面図、図３は検出スイッチを装着した使用状態における中央縦断右側面図、第４図は図３の状態における中央横断平面図である。図面の符号２１は、本発明の取付構造を備えた始動入賞口を示し、２２はこの始動入賞口２１に組込まれる検出スイッチを示している。
【００２７】
始動入賞口２１は、遊技盤２３に対して接面状に取付ける取付基板２４の前面側に入賞口２５を備え、この入賞口に上下に貫通する球通路２６を形成している。その一方、上記取付基板２４の背面側には入賞口２５に背向して角筒形の装着部２７を後方に向け突き出すように備え、その中空の内部を前記入賞口２５を上下に貫通する球通路２６に連通させている。
【００２８】
上記装着部２７は、内部の形状を前記検出スイッチ２２の断面形状に合せて横長の長方形状をなす筒形の空間に形成し、後方に開口する挿入口２８から検出スイッチ２２の先端部２２ａを受け入れ、これを嵌合するようにしてある。そして、この装着部２７は底部２９の後端を後方に延長して弾圧部材３０を形成し、この弾性部材３０の上面中央部に半球状の押圧突起部３１を隆設し、後端部上面には左右に係止部３２，３２を起立する如く突設している。
【００２９】
上記弾性部材３０は、前記装着部２７に検出スイッチ２２を装着したとき、その後半部分を支えるものになっており、後端部上面に形成される前記係止部３２，３２はこの検出スイッチ２２の後端部に係合して該検出スイッチ２２の後方への移動を阻止するものとなる。
ここに示す上記弾性部材３０は、図１に示したように前記底部２９の両側を後方から切込むスリット３３によって切離し、これによって舌状に形成される該底部と一体となり、取付基板２４を基点とした舌片状に形成してあり、素材の弾性によって後端側を上下方向に自由に撓められるようにしてある。
【００３０】
係止部３２は、前面側を起立させ、後面側を傾斜面にする鋸歯形の突起状に形成してあり、図１に示したように検出スイッチ２２を後方から臨ませたとき、上記傾斜面を誘導して前進を可能にし、且つ弾性部材３０を押下げられるようにしてある。そして、検出スイッチが装着されたのちにおいては、弾性部材３０の復元力によって起立する前面側を検出スイッチの後端部に係合させ、抜止めするようにしてある。
【００３１】
図中の符号３４は、上記弾性部材３０の後端部から更に延設した操作片である。この操作片は装着部２７から検出スイッチ２２を外すとき上記係止部３２の係合を解くためのもので、指先をこの操作片に掛けて押し下げることで係合を解除し、検出スイッチの抜き取りを可能にしている。
尚、係止部３２は上記操作片３４の上面に設けてあり、押し下げの操作に伴って検出スイッチの後端部から自動的に外れるようにしてある。
【００３２】
ところで、前記検出スイッチ２２はやゝ肉厚の板状をなすスイッチ本体３５を主体にしてこの主体の前端部に球の検出孔３６を開設し、この検出孔３６の周囲に図示しないコイルを埋込み周設している。そして、後半部分には中空部３７を形成し、その閉ざされた上面部に添わせて検出回路基板３８を固定し、内臓している。
その一方、上記検出回路基板３８の後部下面には配線３９を接続する接続端子４０を添わせ、回路の配線と接面状に接続させて一体化し、前記コイルにおいて球の通過に伴い発生する誘導電流を検出回路基板３８において電気信号化し、この信号を上記接続端子４０、そして配線３９を通して系外に取り出せるようにしてある。
【００３３】
前記装着部２７において、前記弾性部材３０に設けられる押圧突起部３１は、装着される上記検出スイッチ２２の接続端子４０に対応して設けられるものであり、検出スイッチが装着された状態にあるとき、接続端子４０の下面に当接して弾性部材３０のばね力を利用して常時上方に付勢し、前記検出回路基板３８の接続部に対して圧接することができるようにしてある。
【００３４】
上述構成してなる本発明の取付構造は、遊技盤２３に固定した始動入賞口２１に対して検出スイッチ２２を後方から臨ませ、先端部２２ａで係止部３２を押し下げるようにして弾性部材３０を下に撓ませ、そのまゝこの弾性部材３０の上面を案内に挿入口２８から装着部２７に押し入れ、先端部２２ａを入賞口２５の内壁面に当接させることによって装着され、組付けを完了し、使用に備えられることになる。
【００３５】
図３、図４は上記使用可能な状態に組付けた本発明の取付構造を示している。ここで、検出スイッチ２２は先端部２２ａを入賞口２５の内壁面に当接した時点でその検出孔３６を入賞口の球通路２６に一致させることになり、同時に後端部を係止部３２の前方に位置させ、弾性部材３０の復元力でこの係止部３２を検出スイッチの後端部に掛け止めることになる。
そして、この装着完了状態において上記弾性部材３０に隆設した押圧突起部３１を検出 スイッチ２２の接続端子４０の下面に当接させ、弾性部材３０の復元力を利用してこの接続端子４０を検出回路基板３８に圧接させることになる。
【００３６】
尚、上記接続端子４０に対する押圧突起部３１の当接は、直接的であっても、また前記中空部３７を被うカバー４１を介して間接的であってもよく、結果的に検出スイッチの構造に合せて当接することによる押圧力が接続端子４０に作用し、検出回路基板の接続部分との密着状態が得られるものであればよい。
【００３７】
また、上記押圧突起部３１について、ここに示すものは半球状の突起としているが、柱状であっても、山形をなすものであってもよい。ここでの突起は弾性部材３０による接続端子４０に対する押圧力を集中させ、確実に作用させるために設けるものであり、検出スイッチ２２の装着時に弾性部材３０による接続端子４０の押圧が確保される場合には、この押圧突起部３１を省略することも可能である。
【００３８】
この様にして装着部２７に装着される検出スイッチ２２は、弾性部材３０による押圧によって接続端子４０を検出回路基板３８に常時圧接することになることから、接続端子と検出回路基板との接続に支障を生じていても接続状態が確保されることになり、検出機能を失うことがない。
【００３９】
従って、再使用に係る検出スイッチの場合、抜き取り時に配線３９の引っ張りによって接続端子と検出回路基板との接続部分が剥離し、断線することがあっても、又この様にして断線した検出スイッチを再使用する場合であっても、前記の如く弾性部材３０による補正によって接続が確保されるため、正常な検出スイッチと同様に全く問題なく使用することが可能であり、再利用することができることになる。
【００４０】
ことに、断線した接続端子４０が、検出回路基板３８との接続位置にあって外見的に接続部分に損傷を受けていることが発見されない場合、そのまゝ再使用される危険があるが、本発明によれば、装着部への装着によって弾性部材による押圧作用により接続が回復することから全く支障なく使用が可能となる。
勿論、装着時に誤って配線を引っ張り接続端子の接続が切断された場合にも上記補正が有効に作用するためそのまゝ使用することができ、従って検出スイッチの交換を避けることができる。
【００４１】
尚、始動入賞口２１に装着し、使用した検出スイッチは、操作片３４の押し込みによって簡単に係止部３２の係合を外すことができるため、容易に装着部から抜き取ることができることになる。従って、従来のもののように係止爪を無理に外したり、配線を持って引き抜くこともないので、検出スイッチを再使用する際、接続不良による問題を起すことが大幅に改善されることになる。
【図面の簡単な説明】
【００４２】
【図１】本発明に係る検出スイッチの取付構造を示す検出スイッチを外した状態における中央縦断右側面図。
【図２】本発明に係る検出スイッチの取付構造を示す検出スイッチを外した状態における中央横断平面図。
【図３】検出スイッチを装着した使用状態における中央縦断右側面図。
【図４】検出スイッチを装着した使用状態における中央横断平面図。
【図５】従来例に係る検出スイッチの取付構造を示す横断平面図。
【図６】従来例に係る検出スイッチの取付構造の中央縦断右側面図である。
【符号の説明】
【００４３】
２１        検出スイッチの取付構造の一形態を示す始動入賞口  
２２        検出スイッチ
２５        球受部
２６        球通過孔
２７        装着部
２８        挿入口
２９        装着部の底部
３０        弾性部材
３１        押圧突起部
３２        係止部
３４        操作片
３５        検出スイッチのスイッチ本体
３６        検出孔
３８        検出回路基板
３９        配線
４０        接続端子
【図１】
2006175088.tif 000003
【図２】
2006175088.tif 000004
【図３】
2006175088.tif 000005
【図４】
2006175088.tif 000006
【図５】
2006175088.tif 000007
【図６】
2006175088.tif 000008